(57)【要約】【課題】枠体を形成する型材の内部にバランサー機構を全て収納することができるようにし、枠体のコンパクト化による外観の向上を図ることができる上下可動開閉扉を提供する。【解決手段】枠体３に前部扉体４と後部扉体を上下動可能となるよう装着し、この枠体３に前部扉体３のバランサー機構６と、後部扉体のバランサー機構を設け、前部扉体３のバランサー機構６が、枠体３の側部に配置したスプリング１８を有し、上記枠体３の上部に固定滑車１９、２０、２１と動滑車２２を配置し、この固定滑車１９、２０、２１と動滑車２２にわたって巻回した第１可撓紐２３の両端を扉体の上下動によって動滑車２２が移動するよう前部扉体４に連結し、上記動滑車２２に一端を連結した第２可撓紐２４を、前部扉体４の上下動によって上記スプリング１８が伸縮するよう、上記枠体３の上部に配置した固定滑車２５、２６、２７とスプリング１８の端部に取り付けた動滑車２８、２９に順次かけ渡し、その他端を枠体３側に固定して形成され、後部扉体のバランサー機構も同様の構造になっている。【選択図】  図５
2004278103.tif 000002
【特許請求の範囲】
【請求項１】
扉体を両側のガイドに沿って上下動可能に装着した枠体の側部に扉体の重量を補償するための弾性伸縮部材を配置し、上記枠体の上部に固定滑車と動滑車を配置し、この固定滑車と動滑車にわたって巻回した第１可撓紐の両端を扉体の上下動によって動滑車が移動するよう扉体に連結し、上記動滑車に一端を連結した第２可撓紐を、扉体の上下動によって上記弾性伸縮部材が伸縮するよう、上記枠体の上部に配置した固定滑車と弾性伸縮部材の端部に取り付けた動滑車に順次かけ渡し、その他端を枠体側に固定した上下可動開閉扉。
【請求項２】
上記枠体に前部扉体と後部扉体を上下動可能となるよう装着し、上記第１可撓紐と弾性伸縮部材及び第２可撓紐が、前部扉体用と後部扉体用の二組からなっている請求項１に記載の上下可動開閉扉。
【発明の詳細な説明】
【０００１】
【発明の属する技術分野】
この発明は、家具やその他の開口部に用いる上下可動開閉扉、更に詳しくは、枠体内に設けた扉体を上下に移動させることにより開閉すると共に、扉体の重量と釣合いを保ち、扉体を任意の位置で停止させることができるようにした上下可動開閉扉に関する。
【０００２】
【従来の技術】
一般的に知られている上下可動開閉扉は、枠体に前部扉体と後部扉体を両側のガイドに沿って上下動可能となるよう装着し、前部扉体と後部扉体をそれぞれ上下に開閉操作できるようにした構造になっており、前部扉体と後部扉体をそれぞれ任意の位置で停止させることができるように、前部扉体及び後部扉体の重量を補償するためにバランサー機構が必要になる。
【０００３】
従来の上下可動開閉扉は、枠体に前部扉体と後部扉体を両側のガイドに沿って上下動可能となるよう装着し、枠体の上部両側に設けたバランサー機構から可撓紐を引き出し、この可撓紐を扉体に連結することにより扉体を吊り下げ保持し、バランサー機構は、渦巻きばねによって可撓紐を巻き取る回転弾性が付勢されたドラムを有した構造になっている（特許文献１と２参照）。
【０００４】
【特許文献１】
特開２００１−３４９１２９号公報（図１、図２）
【特許文献２】
特開２００１−１２３７３７号公報（図１、図２）
【０００５】
【発明が解決しようとする課題】
ところで、上記のような従来の上下可動開閉扉に用いられているバランサー機構は、渦巻きばねやドラムを有した構造になっているので、どうしても形状が大型化し、しかもバランサー機構を枠体に取り付ける場合、枠体内に収納すると枠体の断面形状が大きくなり、また外付けにすると枠体の外部に突出するので仕上がりの形態が極めて不体裁となり、何れにしても枠体のコンパクト化が図れないという問題がある。
【０００６】
そこで、この発明の課題は、枠体を形成する型材の内部にバランサー機構を全て収納することができるようにし、枠体のコンパクト化による外観の向上を図ることができる上下可動開閉扉を提供することにある。
【０００７】
【課題を解決するための手段】
上記のような課題を解決するため、この発明は、扉体を両側のガイドに沿って上下動可能に装着した枠体の側部に扉体の重量を補償するための弾性伸縮部材を配置し、上記枠体の上部に固定滑車と動滑車を配置し、この固定滑車と動滑車にわたって巻回した第１可撓紐の両端を扉体の上下動によって動滑車が移動するよう扉体に連結し、上記動滑車に一端を連結した第２可撓紐を、扉体の上下動によって上記弾性伸縮部材が伸縮するよう、上記枠体の上部に配置した固定滑車と弾性伸縮部材の端部に取り付けた動滑車に順次かけ渡し、その他端を枠体側に固定した構成を採用したものである。
【０００８】
上記枠体に前部扉体と後部扉体を上下動可能となるよう装着し、上記第１可撓紐と弾性伸縮部材及び第２可撓紐が、前部扉体用と後部扉体用の二組からなっている構造とすることができる。
【０００９】
ここで、枠体の上桟と両側の縦桟は溝型材を用い、この溝型材の開口面が内側に向くよう組み合わせて枠体を形成し、上記上桟と両側の縦桟には開口面側に前部扉体用と後部扉体用のガイド溝を有するガイド部材が組み込まれ、扉体はその両側が対応するガイド溝内に収まって上下動可能となり、また、上記した各固定滑車と動滑車及び弾性伸縮部材であるスプリングは、溝型材とガイド部材の間に形成された空間に収まっている。
【００１０】
また、枠体の下桟となる溝型材の内部には、スプリングの張力調整機構が組み込まれ、この張力調整機構の調整軸が回転工具を用いて枠体の外部から回転可能となり、調整軸に螺合した移動金具とスプリングの下端が第３の可撓紐で連結され、調整軸を回転させ移動金具を移動させることによって、スプリングの張力を調整することができるようになっている。
【００１１】
【発明の実施の形態】
以下、この発明の実施の形態を図示例と共に説明する。
【００１２】
図１乃至図３のように、この発明の上下可動開閉扉１は、必要な大きさの開口２を形成する矩形状の枠体３と、この枠体３内に上下動可能となるように装着した前部扉体４及び後部扉体５と、図５と図６のように、前部扉体４又は後部扉体５の重量と釣合いを保ち、各扉体を任意の位置で停止させることができるようにする前部扉体用バランサー機構６及び後部扉体用バランサー機構７とで形成されている。
【００１３】
上記枠体３は、上桟８と両側の縦桟９及び下桟１０とからなり、これらは図４に示すように、断面コ字状の溝型材を用い、上桟８と両側の縦桟９は溝型材の開口面が内側に向き、下桟１０は開口面が外側に向くよう組み合わせて枠体３を形成し、この上桟８と両側の縦桟９の内部には開口面側に前部扉体４用と後部扉体５用のガイド溝１１と１２を有する硬質樹脂製のガイド部材１３が組み込み固定されている。
【００１４】
上記前部扉体４と後部扉体５は、ガラス、樹脂板、木板等からなる矩形状プレート１４の上端に上縁桟１５と下端に下縁桟１６を固定して形成され、下縁桟１６には、上下動を操作するための操作片１７が前方へ突出するように設けられ、この前部扉体４と後部扉体５は、矩形状プレート１４の両側が縦桟９の対応するガイド溝１１又は１２内に収まって上下動可能になり、図１のように、前部扉体４を上昇位置に引き上げ、後部扉体５を下降位置に引き下げることで、前部扉体４の下部と後部扉体５の上部が前後にラップし、枠体３内に形成された開口２を全閉することになり、この状態で前部扉体４を下降位置に引き下げると、図２のように、枠体３内の開口２は上半部が開放され、また、後部扉体５を上昇位置にすると、図３のように、枠体３内の開口２は下半部が開放されることになる。
【００１５】
上記前部扉体４のバランサー機構６と後部扉体５のバランサー機構７は、共に等しい構造を有している。
【００１６】
図５は、前部扉体４のバランサー機構６の構造を概略的に示し、枠体３の一方縦桟９内でガイド部材１３とによって形成された空間に、前部扉体４の重量を補償するための上下に長い弾性伸縮部材であるスプリング１８を組み込み、上記枠体３の上部における両側コーナ部分で、上桟８の内部空間に固定滑車１９、２０、２１と、上桟８の内部空間の途中に動滑車２２を配置し、この固定滑車１９、２０、２１と動滑車２２にわたって順次巻回した第１可撓紐２３の両端を固定滑車１９、２１から下方に引き出し、第１可撓紐２３の両端を前部扉体４の両側に連結することにより、前部扉体４を吊り下げ保持し、前部扉体４の上下動によって動滑車２２が移動するようになっている。
【００１７】
また、上記動滑車２２に一端を連結した第２可撓紐２４は、前部扉体４の上下動によって上記スプリング１８が伸縮するよう、上記枠体３の上部における一方コーナ部分の内側に配置した固定滑車２５、２６、２７とスプリング１８の上端部に取り付けた動滑車２８、２９に順次かけ渡し、その他端が枠体３側に固定されている。
【００１８】
上記枠体３の下桟１０の内部には、スプリング１８の張力調整機構３０が組み込まれ、この張力調整機構３０のベース部材３１で支持した調整軸３２が回転工具を用いて枠体３の外部から回転可能となり、調整軸３２に螺合した回転不能の移動金具３３と上記スプリング１８の下端が第３の可撓紐３４で連結され、調整軸３２を回転させて移動金具３３を移動させることによって、スプリング１８の張力を前部扉体４の重量に合わせて調整することができるようになっている。
【００１９】
図７は、前部扉体４のバランサー機構６の具体的な構造を示し、枠体３の一方コーナ部分の内側にビス止めによって固定したＬ型フレーム３５内の上部位置に、二本の軸３６と３７を平行状に架設し、一方の軸３６に、後述する後部扉体５のバランサー機構７の固定滑車（図６参照）を含む三つの固定滑車１９ａ、２０ａ、２１と他方の軸３７に三つの固定滑車２５、２６、２７を回転可能に取り付け、スプリング１８の上端に連結金具３８を介して二つの動滑車２８、２９が連結され、図示省略したが、枠体３の他方コーナ部分には、同様の構造で、後述する後部扉体５のバランサー機構７の固定滑車を含む三つの固定滑車１９、２０、２１ａと他方の軸３７に三つの固定滑車２５ａ、２６ａ、２７ａが配置されることになる。
【００２０】
図５のように、第１可撓紐２３の一端側は、固定滑車１９に巻掛けて前部扉体４に端部を連結し、他端側は固定滑車２１に巻掛けて前部扉体４に端部を連結し、また、第２可撓紐２４は、固定滑車２５、動滑車２８、固定滑車２６、２７、動滑車２９の順に折り返し状となるよう巻回した後、その端部をＬ型フレーム３５に固定している。
【００２１】
上記のように、第１可撓紐２３と固定滑車１９、２０、２１及び動滑車２２によって形成された倍力機構は、動滑車２２が前部扉体４の上下動ストロークに等しい量だけ水平移動し、第１可撓紐２３の両端を前部扉体４の両側に連結することにより、前部扉体４の上下動時に第１可撓紐２３の作用で両側が同調して移動し、前部扉体４の上下動にこじれのない円滑な移動が得られるようにすることになり、また、第２可撓紐２４と固定滑車２５、２６、２７及び動滑車２８、２９によって形成された倍力機構は、動滑車２２の移動ストロークに対して動滑車２８、２９の移動量を四分の一にすることになり、前部扉体４の上下動ストロークに対してスプリング１８の伸縮は四分の一となり、しかも、前部扉体４の重量に対するスプリング１８の釣合い弾性も四分の一に設定することができ、これにより、前部扉体４の上下動操作が軽い力で行え、しかも、スプリング１８の小径化と短尺化が可能になり、スプリング１８を枠体３の一方縦桟９内でガイド部材１３とによって形成された狭い空間内に収納できることになる。
【００２２】
図６は、後部扉体５のバランサー機構７の概略的な構造を示し、枠体３に対して上述した前部扉体４のバランサー機構６と丁度左右対称状の配置となり、この後部扉体５が第１可撓紐２３ａによって上下動可能に吊り下げ保持されている。
【００２３】
ここで、後部扉体５のバランサー機構７は、前部扉体４のバランサー機構６と同様の構造を有するが、図６を用いてこれを再度説明する。なお、図示されていない部分で、前部扉体４のバランサー機構６の説明と同一部分には同一符号を用いることにする。
【００２４】
図６において、枠体３の他方縦桟９内でガイド部材１３とによって形成された空間に、後部扉体５の重量を補償するための上下に長い弾性伸縮部材であるスプリング１８ａを組み込み、上記枠体３の上部における両側コーナ部分で、上桟８の内部空間に固定滑車１９ａ、２０ａ、２１ａと、上桟８の内部空間の途中に動滑車２２ａを配置し、この固定滑車１９ａ、２０ａ、２１ａと動滑車２２ａにわたって順次巻回した第１可撓紐２３ａの両端を固定滑車１９ａ、２１ａから下方に引き出し、第１可撓紐２３ａの両端を後部扉体５の両側に連結することにより、後部扉体５を吊り下げ保持し、後部扉体５の上下動によって動滑車２２ａが移動するようになっている。
【００２５】
また、上記動滑車２２ａに一端を連結した第２可撓紐２４ａは、後部扉体５の上下動によって上記スプリング１８ａが伸縮するよう、上記枠体３の上部における他方コーナ部分の内側に配置した固定滑車２５ａ、２６ａ、２７ａとスプリング１８ａの上端部に連結金具３８ａを介して取り付けた動滑車２８ａ、２９ａに順次かけ渡し、その他端が枠体３側に固定されている。
【００２６】
上記枠体３の下桟１０の内部には、スプリング１８ａの張力調整機構３０ａが組み込まれ、この張力調整機構３０ａのベース部材３１ａで支持した調整軸３２ａが回転工具を用いて枠体３の外部から回転可能となり、調整軸３２ａに螺合した回転不能の移動金具３３ａと上記スプリング１８ａの下端が第３の可撓紐３４ａで連結され、調整軸３２ａを回転させて移動金具３３ａを移動させることによって、スプリング１８ａの張力を後部扉体５の重量に合わせて調整することができるようになっている。
【００２７】
従って、後部扉体５のバランサー機構７の具体的な構造は、図７と丁度対称状の配置構造となる。
【００２８】
第１可撓紐２３ａの一端側は、固定滑車１９ａに巻掛けて後部扉体５に端部を連結し、他端側は固定滑車２１ａに巻掛けて後部扉体５に端部を連結し、また、第２可撓紐２４ａは、固定滑車２５ａ、動滑車２８ａ、固定滑車２６ａ、２７ａ、動滑車２９ａの順に折り返し状となるよう巻回した後、その端部をＬ型フレーム３５ａに固定している。
【００２９】
上記したように、固定滑車は、前部扉体４のバランサー機構６に六個と、後部扉体５のバランサー機構７に六個の、合計十二個が用いられ、枠体３の一方コーナ部分に、固定滑車２１、２５、２６、２７、１９ａ、２０ａが、また、枠体３の他方コーナ部分に、固定滑車１９、２０、２１ａ、２５ａ、２６ａ、２７ａが配置されることになる。
【００３０】
この発明の上下可動開閉扉１は、上記のような構成であり、各種家具や建具等の開口部に取り付けて開閉扉として用いるものであり、図１のように、前部扉体４を上昇位置に引き上げ、後部扉体５を下降位置に引き下げることで、開口２を全閉した状態となる。
【００３１】
上記の状態で、開口２の上半部を開放するには、前部扉体４を下降位置に引き下げ、図２のように、後部扉体５の前に重なり状とすればよく、また、全閉状態から開口２の下半部を開放するには、後部扉体５を引き上げて前部扉体４の前に重なり状とすればよい。
【００３２】
上記前部扉体４と後部扉体５のバランサー機構６と７はそれぞれ別になっているので、前部扉体４と後部扉体５を別個に昇降させるだけでなく、同時に昇降させることができる。
【００３３】
また、前部扉体４及び後部扉体５は、それぞれのバランサー機構６と７におけるスプリング１８、１８ａの弾性と前部扉体４及び後部扉体５の重量が釣り合っているため、開閉操作時において、前部扉体４又は後部扉体５を任意の位置で停止させることができる。
【００３４】
【発明の効果】
以上のように、この発明によると、枠体の上部に固定滑車と動滑車を配置し、この固定滑車と動滑車にわたって巻回した第１可撓紐の両端を扉体の上下動によって動滑車が移動するよう扉体に連結し、上記動滑車に一端を連結した第２可撓紐を、枠体の上部に配置した固定滑車と弾性伸縮部材の端部に取り付けた動滑車に順次かけ渡し、その他端を枠体側に固定したので、扉体の重量と釣合いを保ち、扉体を任意の位置で停止させることができるようにするバランサー機構の全てを、枠体を構成する溝型材の内部に収納することができ、枠体のコンパクト化とシンプル化及び外部への突出部分の発生がなく、見た目にスッキリとしたものとなり、外観の向上を図ることができる。
【００３５】
また、扉体の重量と釣合いを保つバランサー機構が、固定滑車と動滑車及び可撓紐を用い、扉体の上下動でスプリングを伸縮させるように形成したので、扉体の重量とスプリングの弾性の釣合いの確保を簡単な構造で実現することができる。
【図面の簡単な説明】
【図１】（Ａ）はこの発明に係る上下可動開閉扉の全閉状態を示す正面図、（Ｂ）は同縦断側面図
【図２】（Ａ）はこの発明に係る上下可動開閉扉の上半を開放した状態を示す正面図、（Ｂ）は同縦断側面図
【図３】（Ａ）はこの発明に係る上下可動開閉扉の下半を開放した状態を示す正面図、（Ｂ）は同縦断側面図
【図４】（Ａ）はこの発明に係る上下可動開閉扉の拡大した縦断面図、（Ｂ）は（Ａ）の矢印Ｖ−Ｖに沿って拡大した横断平面図、（Ｃ）は固定滑車の構造を示す平面図
【図５】前部扉体のバランサー機構の構造を概略的に示す正面図
【図６】後部扉体のバランサー機構の構造を概略的に示す正面図
【図７】前部扉体のバランサー機構の構造を具体的に示す縦断正面図
【符号の説明】
１  上下可動開閉扉
２  開口
３  枠体
４  前部扉体
５  後部扉体
６  前部扉体用バランサー機構
７  後部扉体用バランサー機構
８  上桟
９  縦桟
１０  下桟
１１  ガイド溝
１２  ガイド溝
１３  ガイド部材
１４  矩形状プレート
１５  上縁桟
１６  下縁桟
１７  操作片
１８、１８ａ  スプリング
１９、１９ａ  固定滑車
２０、２０ａ  固定滑車
２１、２１ａ  固定滑車
２２、２２ａ  動滑車
２３、２３ａ  第１可撓紐
２４、２４ａ  第２可撓紐
２５、２５ａ  固定滑車
２６、２６ａ  固定滑車
２７、２７ａ  固定滑車
２８、２８ａ  動滑車
２９、２９ａ  動滑車
３０、３０ａ  張力調整機構
３１、３１ａ  ベース部材
３２、３２ａ  調整軸
３３、３３ａ  移動金具
３４、３４ａ  第３の可撓紐
３５、３４ａ  Ｌ型フレーム
３６  軸
３７  軸
３８、３８ａ  連結金具
【図１】
2004278103.tif 000003
【図２】
2004278103.tif 000004
【図３】
2004278103.tif 000005
【図４】
2004278103.tif 000006
【図５】
2004278103.tif 000007
【図６】
2004278103.tif 000008
【図７】
2004278103.tif 000009